(57)【要約】  掲示板表示を連携させるために地域の掲示板１２の視聴率を追跡するためのシステム１０、装置１０、１８、および方法。視聴率は、コンテンツ８および／または広告９と表示され得るトリガ１、７を使用し、追跡される。トリガ１、７の実行は、単一の媒体またはいくつかの異種の媒体タイプの掲示板１２に亘りコンテンツ８／広告９を連携させ、累積視聴率１４および広告の実効性を最大化するためのフィードバックを提供することができる。トリガ１、７は、掲示板（任意の表示媒体内）の物理的位置、掲示板１２が表示される時間、および、コンテンツ８および／または広告９の識別を追跡するように適合させることができる。実行されたトリガ２に関連するデータは、トリガ１を実行してトリガ１の成功を判定する視聴者１４の識別情報を含む。トリガ１の成功の判定に続いて、コンテンツ、広告およびトリガの累積視聴率が、地域に亘っておよび異種媒体に亘って分散された掲示板１２に亘り、管理され得る。
2014503893.tif 000002
【特許請求の範囲】
【請求項１】
実行されたトリガ（２）でデータをコンパイルするように構成された、トリガ消費トラッカおよびプロファイラ（２０）を含み、
コンパイルされたデータが、実行されたトリガ（２）の識別、および、トリガを実行した視聴者（１４）の識別の情報を含み、
実行されたトリガ（２）が、掲示板（１２）に表示された、
コンテンツコラボレーションシステム（１０）。
【請求項２】
コンパイルされたデータが、実行されたトリガ（２）の識別を提供する一意の識別子をさらに含み、
一意の識別子が、掲示板の時間、位置、媒体タイプのうちの少なくとも１つに関する情報と、トリガ（１）とともに掲示板（１２）に表示されるコンテンツ／広告の識別とを含む、
請求項１に記載のシステム。
【請求項３】
視聴者（１４）の識別が、デモグラフィック情報、消費者選好、連絡先情報および個人情報のうちの少なくとも１つを含む、請求項２に記載のシステム。
【請求項４】
掲示板（１２）に表示するために使用可能な複数のコンテンツを含む、コンテンツサーバ（２４）と、
掲示板（１２）に表示するために使用可能な複数の広告を含む、広告サーバ（２６）と、
コンテンツサーバ（２４）からの使用可能なコンテンツ、広告サーバ（２６）からの使用可能な広告、および、トリガ消費トラッカおよびプロファイラ（２０）からのコンパイルされたデータに関する情報を受信するように構成された、トリガ生成器（２２）と
をさらに含み、
トリガ生成器（２２）が、掲示板（１２）にトリガ（７）を表示するようにトリガサーバに命令するために、トリガサーバ（２８）に制御信号（６）を送信するように構成された、
請求項３に記載のシステム。
【請求項５】
掲示板（１２）が、ターゲット観衆である視聴者（１４）による視聴のために媒体上に画像およびメッセージを表示することができる、任意の構造体、ソフトウェアおよび／またはハードウェアであり、
掲示板（１２）が、複数の異種媒体タイプに亘る複数の掲示板（１２）を含む、
請求項１に記載のシステム。
【請求項６】
最初のトリガを表示する、掲示板（１２）と、
実行された最初のトリガ（２）を受信するように構成された、外部ベンダサーバ（１８）と、
外部ベンダサーバ（１８）からのデータをコンパイルするように構成され、コンパイルされたデータが実行された最初のトリガ（２）の識別に対応する一意の識別子および最初のトリガ（１）を実行したユーザ（１４）の識別を含む、トリガ消費トラッカおよびプロファイラ（２０）と、
トリガ消費トラッカおよびプロファイラ（２０）からコンパイルされたデータを受信して最初のトリガの成功を判定するように構成された、トリガ生成器（２２）であって、最初のトリガの判定された成功に少なくとも部分的に基づいて制御信号（５、６）を生成するように構成された、トリガ生成器（２２）と、
制御信号（６）を受信するように構成された、トリガサーバ（２８）であって、制御信号（６）に基づいて掲示板（１２）にもう１つのトリガ（７）を表示するように構成された、トリガサーバ（２８）と
を備える、コンテンツコラボレーション装置（１０、１８）。
【請求項７】
掲示板に最初のトリガ（１）を表示するステップと、
トリガ消費トラッカ／プロファイラ（２０）によって、最初のトリガ（１）を実行するときにデータをコンパイルするステップであって、コンパイルされたデータが、最初のトリガ（１）を実行した視聴者（１４）の一意の識別子および識別の情報を含む、ステップと、
コンパイルされたデータに基づいて、最初のトリガ（１）の成功を判定するステップと、
最初のトリガ（１）の判定された成功に少なくとも部分的に基づいて、掲示板（１２）に別のトリガ（７）を表示するステップと
を含む、コンテンツコラボレーションの方法。
【請求項８】
掲示板（１２）に最初のトリガ（１）および別のトリガ（７）を表示するステップが、複数の異種媒体タイプに亘る複数の掲示板（１２）にトリガ（１、７）を表示するステップを含む、請求項７に記載の方法。
【請求項９】
データをコンパイルするステップが、トリガ（１、７）とともに掲示板（１２）に表示されるコンテンツ／広告の時間、位置、媒体タイプ、および識別のうちの少なくとも１つに関する情報を有する一意の識別子を連絡するステップを含む、請求項７に記載の方法。
【請求項１０】
最初のトリガ（１）の判定された成功に基づいて、制御信号（５、６）を生成するステップと、
トリガサーバ（２８）、コンテンツサーバ（２４）および広告サーバ（２６）のうちの少なくとも１つに制御信号（５、６）を送信するステップと
をさらに含み、別のトリガ（７）を表示するステップが、トリガサーバ（２８）によって完遂される、請求項７に記載の方法。
【発明の詳細な説明】
【技術分野】
【０００１】
例示的実施形態は、概して、コンテンツに組み込まれたトリガの使用を介して異なる分散された媒体の間のコンテンツおよび／または広告コラボレーションを提供するためのシステム、装置および方法に関する。それらのトリガは、コンテンツとともに表示される広告、またはコンテンツのみでもしくは広告のみで表示され得る広告内に組み込むことができる。
【背景技術】
【０００２】
今日の掲示板および他の広告媒体は、互いに独立して動作してメッセージおよび／または広告を表示する離散的ハードウェアまたはソフトウェア構造体である。掲示板は、物理構造体を含むことができ、または、それらは、インターネットウェブサイト、テレビジョン、携帯電話、新聞（印刷またはオンライン）、雑誌、映画館などのコンテンツおよび広告を含み得る。従来、掲示板運営者は、地理的領域内で複数の掲示板を所有および運営し、各個々の掲示板は単一の継続的広告またはメッセージ（あるいは、広告を有する何らかのコンテンツ）を表示する。コラボレーションのいくつかの限定された方法は、単一の広告の視聴率の追跡に限定された視聴者ＳＭＳ／電話番号の識別の追跡に限定されたトリガを含む。しかし、掲示板の位置および掲示板が見られる正確な時間は、一般に、視聴者の情報を識別することと連動して追跡されない。さらに、掲示板の間でコラボレーションは現在使用されない（コラボレーションが同媒体のまたは異種媒体の掲示板間であるかどうかにかかわらず）。具体的には、１つの掲示板からのデータは、別の掲示板に表示されるものに影響を与えるために使用されない。加えて、視聴者プロファイルおよび／または視聴者識別の追跡は、現在、様々な異種媒体タイプに亘って視聴者／消費者を追跡するために使用されない。したがって、ある領域内のすべての掲示板を通したすべてのコンテンツ／広告の累積視聴率の最大化は、実現されていない。
【発明の概要】
【課題を解決するための手段】
【０００３】
例示的実施形態は、トリガを使用する領域の掲示板に亘るコンテンツおよび広告の視聴率を追跡するためのシステム／装置および方法を提供する。本トリガは、累積視聴率および広告有効性を最大化するために、単一の媒体またはいくつかの異種媒体タイプに亘ってコンテンツ／広告を連携するためのフィードバックを提供することができる。視聴率の追跡は、掲示板（任意の表示媒体内の）の物理的位置と、特定のコンテンツおよび／または広告が掲示板に表示される時間と、コンテンツおよび／または広告の識別と、視聴者の識別情報（視聴者の総数、個々の視聴者の関心および／または消費者選好、視聴者のグループの一般的関心、視聴率の度数、視聴者によって見られた他の掲示板などを含む）に合わせた組込み型トリガを介して達成され得る。本トリガは、実際のコンテンツまたは広告から独立していてもよい。トリガの識別を視聴者のＩＤ、掲示板上のコンテンツおよび／または広告の識別、掲示板の位置、そして、掲示板が実際に見られた時間と関連付けることによって、掲示板の運営者は、いつトリガが実際に実行されたかにかかわらず、視聴率を追跡することができる。このデータを収集することによって、コンテンツ／広告の累積視聴率が、領域に亘っておよび異種媒体に亘って分散された掲示板に亘り、管理され得る。
【０００４】
例示的実施形態の前述のおよび他の特徴および利点は、添付の図面を参照し、例示的実施形態を詳細に説明することによって、より明らかとなろう。添付の図面は、例示的実施形態を表現するものであり、意図される特許請求の範囲を限定するものとして解釈されるべきではない。添付の図面は、明示的に指摘されない限り、原寸に比例して描かれたものとして考えられるべきではない。
【図面の簡単な説明】
【０００５】
【図１】例示的一実施形態による、コンテンツコラボレーションシステムを含むコンテンツコラボレーション装置の図である。
【図２】例示的一実施形態による、主要コンテンツ、文脈的広告およびトリガの間の一般的関係を示す掲示板の図である。
【発明を実施するための形態】
【０００６】
詳細な例示的実施形態が、本明細書で開示される。しかし、本明細書で開示される特定の構造的および機能的詳細は、単に、例示的実施形態を説明することを目的とした見本である。しかし、例示的実施形態は、多数の代替形態で実施可能であり、本明細書に記載の実施形態のみに限定されるものとして解釈されるべきではない。
【０００７】
したがって、例示的実施形態は、様々な修正形態および代替形態が可能であるが、それらの実施形態は、図中の例を用いて示され、本明細書で詳細に説明される。しかし、例示的実施形態を開示された特定の形態に限定する意図はなく、それとは反対に、例示的実施形態は、例示的実施形態の範囲内にあるすべての修正形態、均等のもの、および代替を網羅するものであることを理解されたい。図面の説明を通して、同様の番号は同様の要素を参照する。
【０００８】
第１の、第２のなどの用語は、本明細書で様々な要素を表すために使用され得るが、これらの要素はこれらの用語によって限定されるべきではないことが理解されよう。これらの用語は、１つの要素を別の要素と区別するためにのみ使用される。例示的実施形態の範囲を逸脱することなしに、たとえば、第１の要素は第２の要素と称することが可能であり、同様に、第２の要素は第１の要素と称することが可能である。本明細書において、「および／または」という用語は、関連する記載された項目のうちの１つまたは複数の任意のおよびすべての組合せを含む。
【０００９】
要素が別の要素に「接続された」または「結合された」というとき、それは、他方の要素に直接接続または結合され得る、あるいは、介在する要素が存在し得ることが理解されよう。一方、要素が別の要素に「直接接続された」または「直接結合された」というとき、介在要素は存在しない。要素間の関係を説明するために使用される他の言葉は、同様の形で解釈されるべきである（たとえば、「間」対「間を直接に」、「隣り合う」対「直接隣り合う」など）。
【００１０】
本明細書で使用される用語は、特定の実施形態を説明することのみを目的とし、例示的実施形態の限定を意図するものではない。本明細書では、単数形「ａ、ａｎ」および「ｔｈｅ」は、文脈がはっきりと他を指示しない限り、複数形も同様に含むものとする。本明細書では、「備える」、「備えた」、「含む」および／または「含んだ」という用語は、述べられた特徴、整数、ステップ、動作、要素、および／または構成要素の存在を指定するが、１つまたは複数の他の特徴、整数、ステップ、動作、要素、構成要素、および／またはそれらのグループの存在または追加を排除しないことがさらに理解されよう。
【００１１】
いくつかの代替実装形態では、記載された機能／動作は、図に示された以外の順番で生じ得ることにも留意されたい。たとえば、連続して示される２つの図は、関与する機能性／動作に応じて、実際には、実質的に同時に実行されることがあり、または、時には逆の順番で実行されることがある。
【００１２】
図１は、例示的一実施形態によるコンテンツコラボレーションシステム１０を含むコンテンツコラボレーション装置である。本装置は、コンテンツおよび／または広告を含む様々な掲示板１２を含む。掲示板１２は、ターゲット視聴者による視聴のために媒体上に画像およびメッセージを表示することができる任意の構造体、ソフトウェアおよび／またはハードウェアを含む。掲示板は、州間高速道路、ショッピングモールおよび映画館沿いに一般に見つけられる掲示板などの物理構造体でもよい。掲示板はまた、ウェブサイト、ウェブサイト上のバナー（広告バナーなど）、または、消費者もしくは一般の人々に送信され得る配布される電子メールを含み得る。さらに、掲示板は、テレビジョンでの広告もしくはメッセージまたは映画の予告編の一部を含み得る。さらに、掲示板は、携帯電話またはタブレット上の広告またはメッセージでもよい。さらに、掲示板は、新聞または雑誌（印刷のまたはオンラインの）でもよい。「掲示板」の意図する意味は、視聴者に画像およびメッセージを表示する任意の手段を含むので、「掲示板」の定義は、これらの例によって限定されない。
【００１３】
掲示板１２は、トリガを表示することができる。本トリガは、いくつかの形態を取り得る。たとえば、本トリガは、特定のクーポン番号（通し番号）を有する引換え可能なクーポンでもよく、または、それは、コンピュータゲームで使用され得る識別可能な番号を有するゲームチートコードでもよい。トリガは、トリガを実行する視聴者またはユーザを識別する役割をすることができる。本トリガは、コンテンツ／広告に関連してもよく（たとえば、コンテンツ／広告がコーヒーのブラントについてであり、トリガは、コーヒー１杯無料の引換え可能なクーポンでもよい）、あるいは、本トリガは、コンテンツ／広告に無関係でもよい（たとえば、コンテンツ／広告はコーヒーのブランドについてであり、トリガはコンピュータゲームのゲームチートコードでもよい）。
【００１４】
視聴者１４は、コンテンツ／広告を見ると同様にトリガ１を見ることができる。視聴者は、次いで携帯電話またはラップトップコンピュータなどの任意の数のデバイス１６を使用して、次いで、トリガ２を実行し得る。別法として、デバイス１６は、必ずしもトリガを実行する必要はない。たとえば、引換え可能なコーヒークーポンの例を使用すると、視聴者１４は、コンピュータ１６を使用してコーヒー製造会社のウェブサイト（外部ベンダサーバ１８）にアクセスしてクーポン番号を入力してコーヒーの無料サンプルを視聴者へ発送させることが可能である。別法として、視聴者１４は、製造会社に電子メールを送って（再びベンダサーバ１８にアクセスして）、クーポン番号を提供することができる。さらに、視聴者１４は、携帯電話１６を使用してクーポン番号をベンダ電話番号（交換を追跡するために使用されるベンダサーバ１８とともに使用される）に送ることができる。または、視聴者１４は、クーポン番号または通し番号をベンダサーバ１８に提供し、そうして、視聴者はくじ引き抽選に参加することができる。加えて、デバイス１６を使うのではなくて、視聴者１４は、代わりに、コーヒー店に歩いて行ってコーヒークーポンを商品と引き換えることができ、その場合、クーポンの引換えに関連する取引はベンダサーバ１８によって記憶／追跡される。トリガ２を実行するこれらの方法のいずれかを使用し、ベンダサーバ１８は、トリガ自体と関連する識別情報（すなわち、固有の識別番号／文字／記号を有するクーポン）ならびに視聴者の識別情報の両方を取得する。視聴者の識別情報は、視聴者の電話番号、自宅の住所、電子メールアドレス、ＩＰアドレスまたは他のタイプの連絡先情報を含み得る。視聴者の識別情報はまた、彼らの年齢、職業、市民権、学区、様々なグループもしくは組織への彼らの所属、または、掲示板運営者にとって興味のあり得る任意の他の識別情報などの人口学的情報を含み得る。識別情報はさらに、大型対小型車への彼らの関心、消費者商品の価値対費用に関連する彼らのニーズ、または彼らのお気に入りの有名ブランドなどの消費者選好をさらに含み得る。識別情報はまた、視聴者の運転免許番号、社会保障番号、身長および体重などの個人情報を含み得る。
【００１５】
ベンダサーバ１８が、トリガおよび視聴者の両方の識別情報を収集した後は、このデータ３は、次いで、コンテンツコラボレーションシステム１０内のトリガ消費トラッカおよびプロファイラ２０に送信され得る。トラッカ／プロファイラ２０は、領域に亘るおよび異種媒体に亘る掲示板に表示された実行されたトリガの識別に関連するデータをコンパイルすることができる。各トリガは、固有の識別子を有するので、トラッカ／プロファイラ２０は、掲示板が見られた正確な時間と位置を知ることができる。トリガの識別情報は、メタデータと考えることができる。たとえば、固有のトリガＩＤ番号は、時間（すなわち、午後１２時から午後１時、午前３時から午前４時）の関数としての視聴率がその時に追跡され得るように、映画広告掲示板上で１時間ごとに変更可能である。地域のショッピングモールにある掲示板とは異なり得る、固有の識別子が、鉄道の駅内の掲示板のために提供され得る。インターネット広告のための固有の識別子は、ハイウェイ陸橋に掲げられた掲示板とは異なってもよい。それぞれの場合に、トリガは、トリガを表示するために使用される場所および特定の媒体を識別することができる固有の識別子（すなわち、固有の識別子が、掲示板の地理的位置と、インターネット、テレビジョン、特定のテレビ番組または映画、物理的掲示板などの掲示板が表示された媒体とを識別する）と、トリガが表示された時間（すなわち、トリガが掲示板に示された特定の時間帯、日付、季節、年など）とを含み得る。
【００１６】
トラッカ／プロファイラ２０は、トリガおよび視聴者に関連する識別情報に関する追跡／プロファイリング情報４をトリガ生成器２２に提供することができる。トラッカ／プロファイラ２０およびトリガ生成器２２は、別個の構成要素でもよく、または、それらは同じ構成要素でもよい。トラッカ／プロファイラ２０およびトリガ生成器２２は、コンピュータ、パーソナルコンピュータ（ＰＣ）、メインフレームコンピュータ、もしくは、本明細書に記載の機能を提供するためのみに使用される専用機械上で走り得る関連ストレージを有するハードウェア、ソフトウェア、または、ソフトウェア／ハードウェアの組合せでもよい。さらに、トリガ消費トラッカ／プロファイラ２０は、トラッカ／プロファイラ２０とは別個の外部ベンダサーバ１８を有するのではなくて、外部ベンダサーバ１８に取って替わることができる。
【００１７】
トリガ生成器２２は、使用可能なコンテンツ５のデータを有するトラッカ／プロファイラ２０データ（表示するために使用可能であり得る潜在的コンテンツのコンテンツサーバ２４から）と、使用可能な広告５のデータ（広告サーバ２６から）を組み合わせて、次いで、制御信号６を生成することができる。制御信号６は、使用可能なトリガのリストを含むトリガサーバ２８に送信され得る。制御信号６は、いくつかの媒体に亘って表示され得る１つまたは複数の掲示板１２にトリガ７を表示するようにトリガサーバに命令するために、使用され得る。制御信号はまた、同じく掲示板１２上に広告および／またはコンテンツも表示するように広告サーバ２６および／またはコンテンツサーバ２４に命令するために、使用され得る。制御信号６は、広告および／またはコンテンツを有する前の掲示板１２に含まれる、前に実行されたトリガの成功の判定に基づいて、生成され得る。
【００１８】
前のトリガの「成功」の判定は、視聴者のターゲットデモグラフィックによって実行された実行されたトリガの割合の判定などの閾値統計的マーカを含み得る。（すなわち、特定の媒体タイプがターゲットデモグラフィックによりよく到達する場合、特定の媒体タイプでのより多くのトリガに焦点を当てた将来のシフトが好ましいことがある）。「成功」の判定はまた、様々な異種媒体が収益を最大化することができる方法でもよい（すなわち、より安い媒体が消費者に到達するのに実際により成功したと判定された場合、より安い媒体に焦点を向けた将来のシフトが好ましいことがある）。同様に、「成功」は、特定の媒体タイプによってまたは１つもしくは複数の掲示板のグループによって達せられた実行されたトリガの総数に基づいて、判定され得る（すなわち、所望の実行されたトリガの数が達せられた場合、他の目的のために掲示板を使用する将来のシフトが好ましいことがある）。さらに、「成功」は、ある一定の期間内に実行されたトリガの数に基づいて、判定され得る（すなわち、鉄道の駅のすべての実行されたトリガの８０％が午前１０：００と午後５：００の間に掲載する掲示板に基づいて生じたと判定された場合、それらの時間中の掲示板上のトリガの使用に焦点を向けた将来のシフトが好ましいことがある）。さらに、「成功」は、特定のコンテンツおよび／または広告とトリガの特定のペアリングに基づいて、判定され得る。たとえば、特定のトリガが、コンテンツまたは広告のいずれかの識別とは無関係に「成功」する場合、より高い収益広告のみで特定のトリガを使用する将来のシフトが好ましいことがある。同様に、特定のトリガが、特定の広告またはコンテンツと対にされたときのみに「成功」することが発見された場合、トリガを成功させる特定のコンテンツおよび／または広告のみでトリガを使用する将来のシフトが、好ましいと発見されることがある。トリガの「成功」は、一般に、主観的であり、したがって、コンテンツコラボレーションシステム１０のフィードバック制御は、特定の場所、特定の媒体タイプ、および／または特定の時間に亘る視聴率を増やして掲示板１２の全体的有効性を増やすという掲示板所有者の特定のニーズに合うように適合され得ることを理解されたい。さらに、トリガの「成功」の主観的な性質により、個人が、前に実行されたトリガの「成功」を手動で判定し、次いで、制御信号６を手動で起動して新しいトリガを生成することが可能である。
【００１９】
コンテンツ、広告およびトリガの相互関係
ここでコンテンツコラボレーションが説明されたが、表示されるコンテンツ、広告およびトリガの間の関係のさらなる考察が本明細書で説明される。
【００２０】
図２は、例示的一実施形態による、主要コンテンツ（Ｃ）、文脈的広告（Ａ）およびトリガ（Ｅ）の間の一般的関係を示す掲示板１２である。具体的には、掲示板１２は、公共サービスメッセージもしくは風景写真またはインターネットウェブサイトの主要コンテンツなどの主要コンテンツ（Ｃ）を含み得る。掲示板はまた、文脈的広告（Ａ）を含み得る。広告（Ａ）は、広告を含むウェブページのバナーなどのコンテンツ（Ｃ）のより小さい構成要素でもよい。別法として、主要コンテンツ（Ｃ）は存在しなくてもよく、掲示板１２は単に広告（Ａ）自体でもよい。別法として、掲示板１２は、公共サービスメッセージなどのコンテンツ（Ｃ）のみを含むことができ、広告（Ａ）は存在しなくてもよい。トリガ（Ｅ）は、識別番号、または、どのように視聴者がトリガを実行することができるかを指定する指示として、掲示板上に存在し得る。別法として、トリガ（Ｅ）は、視聴者が選択して瞬時にトリガを実行することができるインターネットウェブサイト上のフィールドでもよい。さらに、トリガ（Ｅ）は、視聴者がウェブページから印刷して後でベンダの店で商品と引き換えることができるクーポンでもよい。
【００２１】
トリガ（Ｅ）の実際の実行は、実際の掲示板から遠く離れた場所で発生し得ることに留意することが重要である（たとえば、ステートフェアでの掲示板に含まれるトリガ（Ｅ）は、視聴者によって彼らの地元の学区を介して商品と引き換えられることがある）。トリガの実際の実行はまた、トリガの実際の視聴よりずっと後の時点で生じ得る（たとえば、ステートフェアでの掲示板に含まれたトリガ（Ｅ）は、学年の最後に学区のメンバによって実行されることがある）。したがって、トリガ（Ｅ）は、掲示板１２自体のトリガ（Ｅ）の最初の視聴と非常に異なる時間にある時点およびある場所で実行され得る。
【００２２】
以下の等式は、コンテンツコラボレーションシステムのトリガと他のパラメータの間の関係をさらに説明する。
【００２３】
Ｅｉｊｋ＝ｆ（Ａｉ，Ｌｊ，Ｃｋ，Ｔｉｊｋ）  −  方程式１
Ａｉ＝広告登録簿内の広告（Ａ１、Ａ２…、Ａｍ）
Ｌｊ＝掲示板の場所（Ｌ１、Ｌ２、…、Ｌｎ）
Ｃｋ＝コンテンツ登録簿内の使用可能なコンテンツ（Ｃ１、Ｃ２、…、Ｃｑ）
Ｔｉｊｋ＝コンテンツＣｋで場所Ｌｊで示されるＡｉの時間間隔
したがって、方程式１によれば、トリガＥｉｊｋは、広告ＡｉがコンテンツＣｋとともに掲示板の場所Ｌｊで示される時間間隔または持続時間の関数である。
【００２４】
別の特定の例を提供するために、Ａｉは靴の広告でもよく、Ｃｋは靴が入手可能な店の写真でもよく、そして、場所Ｌｊは、インターネット広告、テレビジョン広告、ならびに地域の映画館および地理的エリア内のショッピングモール内の様々な掲示板に置かれた掲示板所有者によって所有される多数の掲示板の場所でもよい。掲示板所有者の目的は、期間中（期間Ｔｉｊｋは、靴の広告キャンペーンの第１の週でもよい）に領域内の掲示板に亘るすべての靴広告Ａｉの累積視聴率を最大化することである。ショッピングモールを通る人々のグループは、靴広告Ａｉを含む所有者の掲示板のうちのいくつかを見る可能性がある。しかし、領域内の各掲示板が同靴広告Ａｉのみを表示する場合、掲示板所有者は、そうでなければ一意の消費者によって見られた可能性がある他の製品の異なる広告の数の減少により、利益を失う。さらに、場合によっては、掲示板所有者は、意図的に、同靴広告Ａｉを消費者によって複数回見てもらいたいと望むことがある。しかし、靴広告Ａｉが実際に何回見られたかを追跡する手段がなくては、掲示板の有効性は知られないままであり得る。
【００２５】
したがって、掲示板所有者は、靴広告Ａｉを表示する各掲示板の視聴率および有効性を測定するためのトリガを提供することができる。トリガは、異種媒体の各々の間で、各靴広告Ａｉについて同一でもよく、あるいは、トリガは、媒体タイプ自体の有効性を追跡するために、媒体の各タイプについて異なってもよい。たとえば、すべてのインターネット広告（インターネット広告である場所Ｌｊ）のトリガＥｉｊｋは、スポーツカーを獲得するチャンスのための、視聴者が携帯電話を使用して送ることができる一意の抽選番号でもよい。ショッピングモール内のすべての掲示板広告（ショッピングモール広告である場所Ｌｆ）のトリガＥｉｆｋはまた、スポーツカーを獲得する同チャンスのための、視聴者が携帯電話を使用して送ることができる抽選番号でもよい。両方のトリガの「賞」は同じ「賞」（すなわち、スポーツカー）を獲得するためのチャンスであるので、２つのトリガの両方は、同視聴者がトリガを実行する同等の関心を有することを確保する。しかし、Ｅｉｆｋトリガ（ショッピングモール広告のトリガ）の抽選番号は、インターネット広告に使用される抽選番号とは異なる一意の抽選番号でもよい。これは、別個のインターネットおよびショッピングモール広告の有効性を掲示板所有者が追跡することを可能にすることになる。異なる時間に異なる場所に置かれたおよび異なる異種媒体を使用するすべてのコンテンツ／広告の有効性のフィードバックを取得することによって、掲示板所有者は、そうして、トリガを使用して場所、時間、および／または選択された媒体の有効性を判定して、次いで、連携された掲示板キャンペーンを提供することができる。
【００２６】
コラボレーションのさらなる例
トリガ、コンテンツおよび広告間のコラボレーションは、様々な形を取り得る。コラボレーションの３つの主要なタイプは、以下のとおりでもよい。
１．部分的コラボレーション：すべての掲示板の一部のみにそれ自体を限定するコラボレーション。たとえば、トリガが広告に含まれ、トリガは広告に関連していてもいなくてもよい。
２．組込み型部分的コラボレーション：組込み型部分的コラボレーションは、別のコンテンツの中にさらに組み込まれた部分的コラボレーションを示す。たとえば、コンテンツに組み込まれた広告内に含まれるトリガ。トリガは、コンテンツおよび／または広告に関連していてもいなくてもよい。
３．包括的コラボレーション：掲示板全体を占めるコラボレーション。たとえば、トリガのみを表示する掲示板。この具体的な一例は、地域のショッピングモールでの無料アイテムのための一意の識別子を有するクーポンを提供する情報のみを含む掲示板でもよい。もう１つの例は、トリガ生成器の出力の直接的結果として掲示板上に表示され得るコンテンツまたは広告を含み得る。言い換えれば、１つの特定の掲示板上に表示されるコンテンツ／広告は、１つのまたは潜在的に多数の他の掲示板に関わる実行されたトリガの結果である。
【００２７】
コラボレーションの前述の例で、組込み型部分的コラボレーションは、特に興味深い。組込み型部分的コラボレーションは、視聴者に組込み型トリガを捜し出す理由を提供し、それにより、視聴者は閉じ込めたコンテンツおよび広告を積極的に捜し出すので、「熱心な視聴者（ｋｅｅｎ  ｅｙｅｂａｌｌｓ）」の数を増やす。「熱心な視聴者」は、掲示板で情報を積極的に視聴するおよび／または探索する視聴者の数のカウントである。今日の大多数の視聴者は日常生活を通して絶え間なく広告およびメッセージに触れることからしばしば鈍感になっているので、「熱心な視聴者」である視聴者は、掲示板を無意識にまたは意図的に無視するおよび／または軽く扱う今日の大多数の視聴者とは異なる。掲示板の「視聴者」の数の単なる増加ではなくて、掲示板の「熱心な視聴者」の増加は、特定の広告に課され得るより高いＣＰＭ（マイルごと費用）に変換される。
【００２８】
したがって、組込み型部分的コラボレーションは、価値をトリガから、トリガを含む広告に、そして、トリガおよび広告を含むコンテンツに、移動する（すなわち、価値の動きは、以下のように移動し得る：Ｅ（トリガ）→Ａ（広告）→Ｃ（コンテンツ））。このため、組込み型トリガの選択は、トリガが広告および／またはコンテンツに関連するので、組込み型トリガの関連性に基づき得る。
【００２９】
このようにして例示的実施形態が説明されたが、同じものが多数の方法で変更され得ることが明らかとなろう。そのような変更は、例示的実施形態の意図された趣旨および範囲からの逸脱として見なされず、そして、すべてのそのような修正は、当業者には明らかなように、以下の特許請求の範囲に含まれるものである。
【図１】
2014503893.tif 000003
【図２】
2014503893.tif 000004
【国際調査報告】
2014503893.tif 000005
2014503893.tif 000006